(57)【特許請求の範囲】
【請求項１】
断面矩形棒状の倒止め部材（１１０Ｂ）が相互に所定の間隔をあけて平行にかつ起立して並べられ、該倒止め部材（１１０Ｂ）の上面及び下面には切り溝（１１０Ｄ）が相互に所定の間隔をあけて形成され、上記倒止め部材（１１０Ｂ）にはフォークリフトのフォークを差し込み可能な長穴（１１０Ｃ）が形成され、
等幅に縦割りされた縦割り竹材が構造部材（１１０Ａ）として用いられ、複数の構造部材（１１０Ａ）が上記倒止め部材（１１０Ｂ）の切り溝（１１０Ｄ）に上記倒止め部材（１１０Ｂ）に対して直交する方向に延びるように嵌め込まれて相互の間隔を保持されるとともに倒れを阻止されることによって骨材（１１０）が構成され、
該骨材（１１０）が上下から外皮部材（１２０）によって被覆されていることを特徴とするパレット。
【請求項２】
断面矩形棒状の倒止め部材（１１０Ｂ’）が相互に所定の間隔をあけて平行にかつ起立して、しかも相互に間隔をあけて上下２段に並べられ、最外側の上記上下の倒止め部材（１１０Ｂ’）が側板（１３０）に固定されて上記倒止め部材（１１０Ｂ’）の上下の間隔を保持され、上記側板（１３０）にはフォークリフトのフォークを差し込み可能な長穴（１３０Ａ）が形成され、
上記上側の倒止め部材（１１０Ｂ’）の上面及び下側の倒止め部材（１１０Ｂ’）の下面には切り溝（１１０Ｄ）が相互に所定の間隔をあけて形成され、等幅に縦割りされた縦割り竹材が構造部材（１１０Ａ）として用いられ、複数の構造部材（１１０Ａ）が上記倒止め部材（１１０Ｂ’）の切り溝（１１０Ｄ）に上記倒止め部材（１１０Ｂ）に対して直交する方向に延びるように嵌め込まれて相互の間隔を保持されるとともに倒れを阻止されることによって骨材（１１０’）が構成され、
該骨材（１１０’）が上下から外皮部材（１２０）によって被覆されていることを特徴とするパレット。
【請求項３】
断面矩形棒状の倒止め部材（１１０Ｂ”）が相互に所定の間隔をあけて平行にかつ起立して並べられ、上記倒止め部材（１１０Ｂ”）にはフォークリフトのフォークを差し込み可能な凹所（１１０Ｃ”）が形成され、
上記倒止め部材（１１０Ｂ”）の上面には切り溝（１１０Ｄ）が相互に所定の間隔をあけて形成され、等幅に縦割りされた縦割り竹材が構造部材（１１０Ａ）として用いられ、複数の構造部材（１１０Ａ）が上記倒止め部材（１１０Ｂ”）の切り溝（１１０Ｄ）に上記倒止め部材（１１０Ｂ）に対して直交する方向に延びるように嵌め込まれて相互の間隔を保持されるとともに倒れを阻止されることによって骨材（１１０”）が構成され、
該骨材（１１０”）が上側から外皮部材（１２０）によって被覆されていることを特徴とするパレット。
【請求項４】
等幅に縦割りされた縦割り竹材が構造部材として用いられ、複数の構造部材（１１Ｄ’、１１Ｄ”）が縦割り竹材の厚み方向に相互に所定の間隔をあけて平行に並べられ、隣接する平行な構造部材（１１Ｄ’、１１Ｄ”）が倒止め部材（１１Ｇ’、１１Ｇ”）によって相互の間隔を保持されるとともに倒れを阻止されることによって骨材（１１Ａ’、１１Ａ”）が構成され、該骨材（１１Ａ’、１１Ａ”）が外皮部材（１１Ｃ）によって被覆されている一方、
上記倒れ止め部材（１１Ｇ’、１１Ｇ”）は、隣接する構造部材の間にて湾曲され、該湾曲した形状が繰り返すように設けられ、構造部材との当接箇所を固着された縦割り竹材であることを特徴とするパレット。
【請求項５】
上記倒れ止め部材（１１０Ｂ、１１０Ｂ’、１１０Ｂ”）は木屑、木粉又は竹粉を合成樹脂材料によって断面矩形状の棒状に固めかつ幅方向の切り溝（１１０Ｄ）を形成して構成されている請求項１ないし３のいずれかに記載の記載のパレット。
【発明の詳細な説明】
【技術分野】
【０００１】
この発明はパレットに関し、特に安全かつ容易に処分でき、しかも地球環境を破壊するおそれの少ないパレットに関する。
【背景技術】
【０００２】
パレットは物品の運搬時や保管時に物品を搭載するのに用いられ、作業の合理化や省力化を図ることができることから、その需要はますます増大する傾向にある。従来この種のパレットには木製、プラスチック製や金属製のパレットが知られている（特許文献１、特許文献２、特許文献３）。
【０００３】
【特許文献１】特開２００２−１５４５４０号公報
【特許文献２】特公平０４−４２９６８号公報
【特許文献３】特公昭５６−５２７７９号公報
【発明の開示】
【発明が解決しようとする課題】
【０００４】
しかし、木製パレットは吸湿によって腐りやすく、使用に耐えなくなると焼却によって処分されていたが、木材は成長に何十年もの時間のかかる樹木を伐採し乾燥し、所定の形状や寸法に加工して用いられるものであり、木製パレットを大量に用いることは大量の樹木を伐採する必要が生じ、地球環境の破壊につながる。
【０００５】
また、プラスチック製パレットを使用に耐えなくなって廃棄する場合、焼却処分しようとすると、材質によって有害物質を発生したり発生しなかったりし、又埋立処分しようとすると、埋立場所が制限されてしまう。
【０００６】
さらに、金属製パレットが鋸や腐食によって使用に耐えなくなって廃棄する場合には埋立によって処分する必要があり、コスト高になる。
【０００７】
本発明はかかる問題点に鑑み、安全かつ容易に処分でき、しかも地球環境を破壊するおそれの少ないパレットを提供することを課題とする。
【課題を解決するための手段】
【０００８】
本件発明者は上述の課題を解決すべく鋭意研究を重ねたところ、成長の早い竹をパレットの骨材に用いることを着想するに至った。
【０００９】
そこで、本発明に係るパレットは、等幅に縦割りされた縦割り竹材が構造部材として用いられ、複数の構造部材が縦割り竹材の厚み方向に相互に所定の間隔をあけて平行に並べられ、隣接する平行な構造部材が倒止め部材によって相互の間隔を保持されるとともに倒れを阻止されることによって骨材が構成され、該骨材が外皮部材によって被覆されていることを特徴とするパレット。
【００１０】
竹は成長速度が３年ないし４年で成長し、使用できるまでに数十年を必要とする樹木に比して速く、１２本から２本を間引くなどすることによって一度に大量に伐採しても環境に与える影響は少ない。
【００１１】
本発明の特徴の１つは縦割りした竹材をパレット骨材の構造部材に用いるようにした点にある。これにより、地球環境に悪影響を与えることなくパレットを大量に製造することができ、又焼却処分しても有害物質が発生することもない。
【００１２】
ところで、骨材に竹材を用いると、搭載した物品の荷重に対する強度が懸念されるが、縦割り主竹材を縦にして平行に並べ、しかも倒れ止め部材によって倒れ止めすると、搭載荷重に十分に耐えることができる構造に構築することができる。この場合、平行な縦割り竹材の間隔を選ぶことによって搭載可能な荷重を自由に設定できる。
【００１３】
例えば、木屑、木粉又は竹粉を合成樹脂材料(接着剤を含む）によって断面矩形状の棒状に固めかつ幅方向の切り溝を形成して倒れ止め部材を構成し、複数の上記倒れ止め部材を相互に間隔をあけて配置し、その切り溝には複数の構造部材を縦にして嵌め込んで骨材を製作することができる。
【００１４】
この方式の場合、両外側の倒れ止め部材にはフォークリフトのフォークを差し込み可能な凹所や穴を形成することができるが、下面に脚を固定してフォークを差し込めるように構成することもできる。
【００１５】
また、倒れ止め部材は縦割り竹材で構成することもできる。例えば倒れ止め用の縦割り竹材を、隣接する平行な縦割り竹材の間にて斜め方向に延び、その両端部分が隣接する平行な縦割り竹材に固着されるように設けることができる。
【００１６】
倒れ止め部材は単純に傾斜して設けてもよいが、パレットの強度の等方性（いずれの箇所も等しい強度である特性）を考慮すると、隣接する縦割り竹材が逆方向に傾斜するように設けるのがよく、好ましくは複数の倒れ止め部材が逆方向に傾斜した形状を繰り返すように設けるのがよい。
【００１７】
また、倒れ止め部材を隣接する平行な構造部材の間にて湾曲させ、平行な構造部材との当接箇所を固着して設けることもでき、好ましくは複数の倒れ止め部材が湾曲した形状を繰り返すように設けるのがよい。
【００１８】
縦割り竹材の当接箇所は接着剤によって接着してもよく、紐やワイヤーで締結してもよく、又適切な連結具、例えば締結バンドで締結するようにしてもよい。
【００１９】
外皮部材は骨材の外側を覆うものであればよいが、焼却によって有害物質の発生しない材料が好ましい。また、外皮部材の構造は特に限定されず、例えば外皮部材は上下の段ボール紙によって構成されることができ、又樹脂製又は紙製のシートとによって構成されることもできる。
【発明を実施するための最良の形態】
【００２０】
以下、本発明を図面に示す具体例に基づいて詳細に説明する。図１及び図２は本発明に係るパレットの好ましい実施形態を示す。本例のパレット１００は骨材１１０を上下の段ボール紙（外皮部材）１２０で被覆することによって構成されている。
【００２１】
骨材１１０では真竹を等幅の８つ割り（又は４つ割り）にした縦割り竹材を構造部材１１０Ａとして用い、複数の構造部材１１０Ａを厚み方向に相互に間隔をあけて平行に並べ、隣接する平行な構造部材１１０Ａは倒れ止め部材１１０Ｂによって相互の間隔を保持されるとともに倒れを阻止されている。
【００２２】
倒れ止め部材１１０Ｂは木屑、木粉、竹粉又はこれらの混合物を合成樹脂材料で断面矩形状の棒状に固めて構成され、倒れ止め部材１１０Ｂには幅方向に延びる切り溝１１０Ｄが上面及び下面に形成され、複数の倒れ止め部材１１０Ｂが相互に間隔をあけて配置され、その上側及び下側の切り溝１１０Ｄには複数の構造部材１１０Ａが縦にして嵌め込まれている。
【００２３】
また、倒れ止め部材１１０Ｂにはフォークリフトのフォークを差し込み可能な長穴１１０Ｃが形成されている一方、上下の構造部材１１０Ａの間の隙間にもフォークリフトのフォークを差し込めるようになっている。なお、パレットの下面に脚を固定してフォークリフトのフォークを差し込めるように構成することもできる。
【００２４】
本例では縦割り竹材をパレットの骨材１１０Ａに用いるようにしたが、竹は成長速度が３年ないし４年で成長するので、一度に大量に伐採しても環境に与える影響は少なく、又焼却処分しても有害物質が発生することもない。
【００２５】
ところで、縦割り竹材を骨材１１０の構造部材１１０Ａとして用いると、搭載した物品の荷重に対する強度が懸念されるが、縦割り竹材を縦にして並べ、倒れ止め部材１１０Ｂによって間隔を保持するとともに倒れ止めを行っているので、平行な縦割り竹材１１Ｄの間隔を設定することによって搭載荷重に十分に耐えることができる。
【００２６】
図３及び図４は第１の実施形態の変形例を示し、図において図１及び図２と同一符号は同一又は相当部分を示す。本例では符号に'を付して第１の実施形態と区別するようにしている。本例では上下の倒れ止め部材１１０Ｂ’の上面及び下面に切り溝１１０Ｄが形成され、上側の倒れ止め部材１１０Ｂの上面の切り溝１１０Ｄには縦割り竹材が縦にして嵌め込まれる一方、下側の倒れ止め部材１１０Ｂの下面の切り溝１１０Ｄには縦割り竹材製の構造部材１１０Ａが縦にして嵌め込まれ、上下の倒れ止め部材１１０Ｂ’は相互に間隔をあけられ、側板１３０と釘などの固定具又は接着剤とによって固定され、側板１３０にはフォークリフトのフォークを差し込み可能な穴１３０Ａが形成されている。
【００２７】
図５及び図６は第２の変形例を示し、図において図１及び図２と同一符号は同一又は相当部分を示す。但し、本例では符号に" を付して第１の実施形態及び第１の変形例と区別するようにしている。本例では倒れ止め部材１１０Ｂ"の上面に切り溝１１０Ｄが形成され、倒れ止め部材１１０Ｂ" の切り溝１１０Ｄには縦割り竹材製の構造部材１１０Ａが縦にして嵌め込まれ、又外側の倒れ止め部材１１０Ｂ" にはフォークリフトのフォークを差し込み可能な穴１１０Ｃ”が形成されている。本例のパレット１００”は上下に多段に重ねて用いることができる。
【００２８】
図７及び図８は第１の参考例を示す。本例のパレット１０は物品を搭載する本体１１と本体１１の下面に固定された脚部材１２とから構成されている。
【００２９】
本体ｌｌでは真竹を等幅の８つ割り（又は４つ割り）にした縦割り竹材（構造部材）１１Ｂを四角形フレーム状に並べて四隅を金具１１Ｅで連結し、その中に真竹を等幅の８つ割り（又は４つ割り）にした縦割り竹材１１Ｄを厚み方向に相互に間隔をあけて平行に並べ、隣接する平行な縦割り竹材１１Ｄの間に真竹を等幅の８つ割り（又は４つ割り）にした複数の倒れ止め用の縦割り竹材（倒れ止め部材）１１Ｇを繰り返しく字状をなすように配置し、平行な縦割り竹材１１Ｄとの当接箇所を接着剤で相互に接着することによって骨材１１Ａを構成し、骨材１１Ａを上下の段ボール紙（外皮部材）１１Ｃで被覆することによって本体１１が構成されている。
【００３０】
本例では縦割り竹材をパレットの骨材１１Ａに用いるようにしたが、竹は成長速度が３年ないし４年で成長するので、一度に大量に伐採しても環境に与える影響は少なく、又焼却処分しても有害物質が発生することもない。
【００３１】
ところで、骨材１１Ａに縦割り竹材を用いると、搭載した物品の荷重に対する強度が懸念されるが、縦割り竹材１１Ｄを縦にして並べ、その間にく字状に並べた縦割り竹材１１Ｇによって倒れ止めを行っているので、平行な縦割り竹材１１Ｄの間隔を設定することによって搭載荷重に十分に耐えることができる。
【００３２】
図９及び図１０は第２の参考例を示し、図において図７及び図８と同一符号は同一又は相当部分を示す。但し、本例では符号に’を付して第２の実施形態と区別するようにしている。本例では段ボール紙に代え、合成樹脂製のシート１１Ｃ’を用い、骨材１１Ａ’の外側を合成樹脂製のシート１１Ｃ’で被羅することによって構成されており、このように合成樹脂製のシート１１Ｃ’によって外皮部材を構成することもできる。
【００３３】
図１１及び図１２は第３の実施形態を示し、図において図７及び図８と同一符号は同一又は相当部分を示す。但し、本例では符号に”を付して第２及び第３の実施形態と区別するようにしている。本例では倒れ止め用縦割り竹材（倒れ止め部材）１１Ｇ”を繰り返し湾曲させ、平行な縦割り竹材１１Ｄ”との当接箇所を接着して構成されており、このように倒れ止め用の縦割り竹材１１Ｇ”はく字状ではなく、湾曲させてもよい。
【００３４】
図１３及び図１４は第４の実施形態を示し、図において図７及び図８と同一符号は同一又は相当部分を示す。但し、本例では符号に’”を付して第２ないし第４の実施形態と区別するようにしている。本例では段ボール紙に代え、合成樹脂製のシート１１Ｃ’”を用い、骨材１１Ａ’”の外側を合成樹脂製のシート１１Ｃ’”で被覆することによって構成されており、このように合成樹脂製のシート１１Ｃ’”によって外皮部材を構成することもできる。
【図面の簡単な説明】
【００３５】
【図１】本発明に係るパレットの好ましい実施形態を示す斜視図である。
【図２】上記実施形態を示す分解斜視図である。
【図３】第１の実施形態の第１の変形例を示す斜視図である。
【図４】上記変形例を示す分解斜視図である。
【図５】第２の変形例を示す斜視図である。
【図６】上記変形例を示す分解斜視図である。
【図７】第１の参考例を示す斜視図である。
【図８】上記参考例を示す分解斜視図である。
【図９】第２の参考例を示す斜視図である。
【図１０】上記参考例を示す分解斜視図である。
【図１１】第３の実施形態を示す斜視図である。
【図１２】上記実施形態を示す分解斜視図である。
【図１３】第４の実施形態を示す斜視図である。
【図１４】上記実施形態を示す分解斜視図である。
【符号の説明】
【００３６】
１００、１００’、１００”      パレット
１１０、１１０’、１１０”      骨材
１１０Ａ      構造部材
１２０      段ボール紙
１０、１０’、１０”、１０’”      パレット
１１、１１’、１１”、１１’”      本体
１１Ａ、１１Ａン、ｌｌＡ”、１１Ａ’”      骨材
１１Ｂ、１１Ｂ’、１１Ｂ”、１１Ｂ’”      フレーム
１１Ｃ、１１Ｃ”      段ボール紙
１１Ｃ’、１１Ｂ’”      合成紙製シート
１２、１２’      脚（脚部材）
【図１】
0005390830.tif 000002
【図２】
0005390830.tif 000003
【図３】
0005390830.tif 000004
【図４】
0005390830.tif 000005
【図５】
0005390830.tif 000006
【図６】
0005390830.tif 000007
【図７】
0005390830.tif 000008
【図８】
0005390830.tif 000009
【図９】
0005390830.tif 000010
【図１０】
0005390830.tif 000011
【図１１】
0005390830.tif 000012
【図１２】
0005390830.tif 000013
【図１３】
0005390830.tif 000014
【図１４】
0005390830.tif 000015